(57)【要約】      （修正有）【課題】旗竿を真っすぐ水平に保持することのできる壁面フラッグハンガーを提供する。【解決手段】壁面フラッグハンガー１が、中央部に軸２を有する吸盤４であって、該軸の軸方向に延びる縦孔１２又は径方向に延びる横孔１４が該軸に形成されている、吸盤と、吸盤の軸の周囲に係合可能に構成された硬質の環状部材６であって、吸盤の孔と整列し得る穴が形成されている、環状部材と、フラッグが取り付けられるべき旗竿１０であって、旗竿の一端の径寸法が環状部材の穴の径寸法以下であり且つ吸盤の孔の径寸法以上である寸法を有する、旗竿と、を備え、旗竿の一端が環状部材の穴を通して吸盤の孔に圧入されると、吸盤が膨張して環状部材の内周面に押し付けられる。【選択図】図１
0003233321.tif 000002
【実用新案登録請求の範囲】
【請求項１】
中央部に軸を有する吸盤であって、該軸の軸方向に延びる縦孔又は径方向に延びる横孔が該軸に形成されている、吸盤と、
上記吸盤の軸の周囲に係合可能に構成された硬質の環状部材であって、上記吸盤の孔と整列し得る穴が形成されている、環状部材と、
フラッグが取り付けられるべき旗竿であって、該旗竿の一端の径寸法が上記環状部材の穴の径寸法以下であり且つ上記吸盤の孔の径寸法以上である寸法を有する、旗竿と、
を備え、
上記旗竿の一端が上記環状部材の穴を通して上記吸盤の孔に圧入されると、上記吸盤が膨張して上記環状部材の内周面に押し付けられるように構成されていることを特徴とする、壁面フラッグハンガー。
【請求項２】
上記縦孔と横孔の両方が上記吸盤の軸に形成されており、これらの孔とそれぞれ整列し得る穴が上記環状部材に形成されていることを特徴とする、請求項１に記載の壁面フラッグハンガー。
【請求項３】
上記環状部材の径方向外側へ１つ又は複数の支持片が延在し、上記吸盤が所与の壁面に押し付けられて吸着したときに、該支持片の先端が上記所与の壁面に当接し得るように構成されていることを特徴とする、請求項１に記載の壁面フラッグハンガー。
【請求項４】
上記環状部材の内周面に、該環状部材の縦穴の延在方向に沿って１つ又は複数のリブが形成されていることを特徴とする、請求項１に記載の壁面フラッグハンガー。
【考案の詳細な説明】
【技術分野】
【０００１】
本考案は、概して壁面フラッグハンガーに関し、詳しくは、店舗等の所与の壁面（ガラス面など）に吸着される吸盤を介してフラッグ（幟旗、印刷紙を含む）を掲示するための壁面フラッグハンガーに関する。
【背景技術】
【０００２】
スーパーマーケット、コンビニエンスストア、又は携帯電話ショップ等の店舗のガラス面などに、宣伝・広告用の紙や布を掲示することがあるが、粘着テープを使って宣伝・広告用の紙や布を貼り付けると、その紙や布を剥がした後に店舗のガラス面などに粘着テープの跡が残ってしまう。そのような跡を生じさせないためには、宣伝・広告用のフラッグ（印刷紙などを含む）の取り付けられた旗竿を吸盤に差し込んで、その吸盤を壁面に吸着させるとよい。なお本明細書において、旗竿と吸盤を具備する取付け具のことを「壁面フラッグハンガー」と呼ぶ。
【０００３】
特許文献１及び特許文献２に開示されているように、従来の壁面フラッグハンガーは、２つ以上の吸盤を使って所与の壁面に吸着させるものが多い。使用される吸盤の数が多いほど壁面フラッグハンガーの耐荷重量が向上し、その壁面フラッグハンガーの旗竿は傾くことなく真っ直ぐに保持されるようになるからである。
【０００４】
１つの吸盤を有する壁面フラッグハンガーであれば、壁面の狭い領域にも使用することができ、壁面フラッグハンガーの製造コストを抑えることもできる。しかし、従来の壁面フラッグハンガーのうち１つの吸盤を有するタイプについては、吸盤の軸が旗竿とフラッグの重さに耐えきれずに変形し、その吸盤の軸に差し込まれている旗竿が下方へ傾いてしまうことがある。
【先行技術文献】
【特許文献】
【０００５】
【特許文献１】実用新案登録第３０２０３６９号公報
【特許文献２】特開２００３−４３９６２号公報
【考案の概要】
【考案が解決しようとする課題】
【０００６】
１つの吸盤だけで旗竿を真っ直ぐ水平に保持することのできる壁面フラッグハンガーが求められている。
【課題を解決するための手段】
【０００７】
中央部に軸を有する吸盤であって、該軸の軸方向に延びる縦孔又は径方向に延びる横孔が該軸に形成されている、吸盤と、吸盤の軸の周囲に係合可能に構成された硬質の環状部材であって、吸盤の孔と整列し得る穴が形成されている、環状部材と、フラッグが取り付けられるべき旗竿であって、該旗竿の一端の径寸法が環状部材の穴の径寸法以下であり且つ吸盤の孔の径寸法以上である寸法を有する、旗竿と、を備え、旗竿の一端が環状部材の穴を通して吸盤の孔に圧入されると、吸盤が膨張して環状部材の内周面に押し付けられるように構成されていることを特徴とする、壁面フラッグハンガーを提供する。
【０００８】
一実施例においては、縦孔と横孔の両方が吸盤の軸に形成されており、これらの孔とそれぞれ整列し得る穴が環状部材に形成されていることを特徴とする。
【０００９】
他の実施例においては、環状部材の径方向外側へ１つ又は複数の支持片が延在し、吸盤が所与の壁面に押し付けられて吸着したときに、支持片の先端が所与の壁面に当接し得るように構成されていることを特徴とする。
【００１０】
さらなる実施例においては、環状部材の内周面に、該環状部材の縦穴の延在方向に沿って１つ又は複数のリブが形成されていることを特徴とする。
【図面の簡単な説明】
【００１１】
【図１】本考案の壁面フラッグハンガーの一実施例を示す図。
【図２】吸盤の軸に旗竿が差し込まれる様子を示す図。
【図３】縦穴の延在方向に沿ってリブが形成されている環状部材を示す図。
【図４】所与の壁面に吸盤が吸着される様子を示す図。
【図５】様々な形状の支持片を有する環状部材の種々の実施例を示す図。
【図６】壁面フラッグハンガーの様々な使用態様を示す図。
【考案を実施するための形態】
【００１２】
本考案の壁面フラッグハンガーについて、添付の図面を参照しつつ説明する。
【００１３】
図１（ａ）は、本考案の壁面フラッグハンガー１の構成部品を示す。壁面フラッグハンガー１は概して、中央部に軸２を有する吸盤４と、吸盤４の軸２の外周面に係合可能に構成された硬質の環状部材６と、紙製や布製のフラッグ（印刷紙など）が取り付けられるべき旗竿１０とを備える。さらには、中空に形成されている（つまり空洞を有する）旗竿１０の先端を塞ぐためのキャップ２４を備え得る。他の実施例においては、キャップ２４の代わりに、旗竿１０の先端に飾り玉（概ね球形の装飾部材）等が取り付けられる場合もある。
【００１４】
吸盤４は一般に、正面視で円形の形状に形成されるが、三角形や四角形等の他の形状に形成される場合もある。吸盤４の中央部において軸２が突出しており、この軸２の軸方向に延びる縦孔１２又は径方向に延びる横孔１４が該軸２に形成されている。一実施例において、吸盤４の軸２の軸方向に延びる縦孔１２と、軸２の径方向に延びる横孔１４との両方が該軸２に形成されている。さらなる実施例において、軸２内において縦孔１２と横孔１４とが交差している場合もある。
【００１５】
環状部材６は、吸盤４の軸２の周囲に係合可能に構成されている。環状部材６には、吸盤４の軸２の周囲に係合したときに吸盤４の縦孔１２及び横孔１４とそれぞれ整列し得る縦穴１６及び横穴１８が形成されている。さらには、環状部材６の径方向外側へ延びる１つ又は複数の支持片２０が形成されている。
【００１６】
一実施例において、中空な旗竿１０には、その軸方向に沿ってスリット２２が形成されており、使用者の所望のフラッグ８が該スリット２２に差し込まれる。他の実施例においては、旗竿１０にスリット２２が形成されていない場合もある。その場合、布製のフラッグ８についてはその上部を折り畳んで竿袋をつくるように縫製し、その竿袋内に旗竿１０を通すとよい。また、紙製のフラッグ８についてはステープル（ステープラーの針）等の留め具を使って旗竿１０にフラッグ８を取り付けることもできる。
【００１７】
図１（ｂ）は、図１（ａ）に示した構成部品が組み合わされた状態の壁面フラッグハンガー１を示す。環状部材６の縦穴１６内に吸盤４の軸２が嵌合すると、環状部材６の壁を貫いている一対の横穴１８と、吸盤４の軸２に形成された横孔１４とが整列し得る。
【００１８】
図２（ａ）は、旗竿１０が吸盤４の軸２の縦孔１２に挿入される前の状態を示している。旗竿１０の根元２６の径寸法は、吸盤４の軸２に形成された各孔（縦孔１２、横孔１４）の径寸法とほぼ同じか僅かに大きく形成されている。従って、使用者が吸盤４の縦孔１２又は横孔１４に旗竿１０を差し込むときには、圧入することなる。旗竿１０が矢印Ａの方向に沿って、軸２の縦孔１２内へ圧入されると、図２（ｂ）に示されるように、吸盤４の軸２の縦孔１２が軸２の径方向（矢印Ｂの方向）に膨張するとともに、軸２自体も径方向に膨張して、軸２の外周面２８が環状部材６の内周面３０に押し付けられる。すると、旗竿１０がしっかりと固定され、水平に真っすぐ延在するようになる。吸盤２は、例えば膨張可能な樹脂組成物から形成されるが、他の膨張可能な可撓性材料から形成される場合もある。
【００１９】
図３は、図２に示した状態を正面から見たものである。ただし図３に示される実施例においては、環状部材６の内周面に３本のリブが形成されており、その３本のリブ３６は縦穴１６の延在方向に延びている。図３（ｂ）は、図３（ａ）において一点鎖線で囲んだ部分の拡大図である。吸盤４の軸２が環状部材６の縦穴１６に通されると、図３（ｂ）に示されるように、吸盤４の軸２の外周面２８に環状部材６の内周面の３本のリブ３６が当接する。他の実施例においては、他の本数のリブが形成される場合もある。
【００２０】
図３（ｃ）は、図３（ａ）に示した吸盤４の軸２の縦孔１２に、旗竿１０の一端（根元）が差し込まれた状態を示す（旗竿１０の断面が斜線で描かれている）。図３（ｄ）は、図３（ｃ）において一点鎖線で囲んだ部分の拡大図である。旗竿１０が吸盤４に圧入されると、吸盤４の軸２が軸２の径方向に膨張するとともに軸２自体が矢印Ｂの方向に膨張する。すると、軸２の外周面２８が環状部材６の縦穴１６の内周面３０に押し付けられ、図３（ｄ）に示されるように、環状部材６の内周面３０に形成されている３つのリブ３６が吸盤４の軸２の外周面２８に喰い込む。これにより吸盤４の軸２と環状部材６との嵌合が強固なものとなり、環状部材６と吸盤４とが互いに対して不意に回転してしまうことがなくなる。
【００２１】
図４（ａ）は、壁面フラッグハンガー１の吸盤４が所与の壁面（設置面）３２に当接している状態を示す。この状態から吸盤４が矢印Ｃの方向へ押し込まれて壁面３２に吸着すると、図４（ｂ）に示されるように、環状部材６に形成されている支持片２０の先端３４が壁面３２に当接する。すると、支持片２０の先端３４と壁面３２との間に静止摩擦力が生じ得ることで壁面フラッグハンガー１の耐荷重量が向上し、壁面から壁面フラッグハンガー１が落下しにくくなる。
【００２２】
図５は、様々な形状の支持片２０を有する環状部材６の種々の実施例を示す。図５（ａ）の環状部材６は、正面視で末広がりの形状に形成された支持片２０を有する。図５（ｂ）の環状部材６は、正面視で十字形の形状に形成された支持片２０を有する。図５（ｃ）の環状部材６は、正面視で逆Ｖ字形の形状に形成された支持片２０を有する。これらの支持片６と壁面３２との間には横方向の静止摩擦力も生じ得るため、吸盤４が横方向にも安定するという利点がある。また、図５（ｄ）の環状部材６は、正面視で概ねフォークの形状に形成された支持片２０を有する。これらの支持片２０は射出成形などの適切なプロセスで成形される。
【００２３】
図６は、本考案の壁面フラッグハンガー１の様々な使用態様を示している。壁面フラッグハンガー１をガラス面などの壁面３２に取り付ける方法について説明すると、壁面３２の汚れ、水分、油分等を拭き取って充分に乾燥させた後、吸盤４を強く押し付け、吸盤４内の空気を抜きながら壁面３２に密着させるとよい。
【００２４】
図６（ａ）は、壁面フラッグハンガー１の第１の使用態様を示す。フラッグ８が壁面３２に対して垂直に掲示されるように、旗竿１０が立設されている。この使用態様では、旗竿１０は、吸盤４の軸２の縦孔１２に差し込まれている。
【００２５】
図６（ｂ）は、壁面フラッグハンガー１の第２の使用態様を示す。旗竿１０に取り付けられたフラッグ８が壁面３２と概ね平行となるように掲示されている。この使用態様では、旗竿１０は、吸盤４の軸２の横孔１４に差し込まれている。
【００２６】
図６（ｃ）は、壁面フラッグハンガー１の第３の使用態様を示す。この使用態様では、吸盤４の横孔１４と環状部材６の横穴１８とに通されたループ状の糸ないし紐４０が中空な旗竿１０内にも通されて、フラッグ８を中吊りにしている。
【００２７】
以上の通り、本考案の壁面フラッグハンガー１は、１つの吸盤４だけを用いて、該吸盤４に差し込まれている旗竿１０を真っ直ぐ水平に保持することができるものである。また、本考案の壁面フラッグハンガー１の使用態様として、フラッグを（１）壁面に対して垂直に掲示、（２）壁面と平行に掲示、及び（３）吊り下げて掲示の３通りの使用態様を有するという利点もある。
【符号の説明】
【００２８】
１…壁面フラッグハンガー
２…軸
４…吸盤
６…環状部材
８…フラッグ（幟旗、印刷紙を含む）
１０…旗竿
１２…縦孔
１４…横孔
１６…縦穴
１８…横穴
２０…支持片
２２…スリット
２４…キャップ
２６…根元
２８…外周面
３０…内周面
３２…壁面（設置面）
３４…先端
３６…リブ
４０…糸ないし紐
【図１】
0003233321.tif 000003
【図２】
0003233321.tif 000004
【図３】
0003233321.tif 000005
【図４】
0003233321.tif 000006
【図５】
0003233321.tif 000007
【図６】
0003233321.tif 000008